(57)【要約】【課題】簡単な構成によって短時間にドレン水をドレンパンに溜め、凝縮器に導くことができる空気調和機を実現する。【解決手段】ドレンパン４１は、蒸発器４からのドレン水を流れ落とす落下口６２を備える。滴下皿４２は、ドレンパンから流れ落ちたドレン水が広がらないようにして、前記凝縮器に導く受水領域と、供給手段から供給されたドレン水が流れ込む給水領域７１とを備える。落下口６２は、受水領域７８の上方に配される。これにより、ドレン水は、短時間に凝縮器に導かれる。【選択図】図５
2006234283.tif 000002
【特許請求の範囲】
【請求項１】
蒸発器で発生したドレン水を溜める空気調和機において、前記ドレン水を集めて流れ落とすためのドレンパンを備え、前記ドレンパンに前記ドレン水を流れ落とす落下口が設けられ、前記落下口の下端が斜めにカットされたことを特徴とする空気調和機。
【請求項２】
ドレンパンの底面がある１点に向かって傾斜され、その最下点に落下口が配されたことを特徴とする請求項１に記載の空気調和機。
【請求項３】
ドレンパンの下方に、ドレン水を凝縮器に滴下させる滴下皿が配され、前記滴下皿に、前記ドレンパンから流れ落ちたドレン水が広がらないようにして、前記凝縮器に導く受水領域が設けられ、前記受水領域の上方に落下口が配されたことを特徴とする請求項１または２に記載の空気調和機。
【請求項４】
溜められたドレン水を滴下皿に供給する供給手段を備え、前記滴下皿に、供給されたドレン水が流れ込む給水領域が設けられ、受水領域は、高壁と、前記高壁より低い低壁とで囲まれており、前記低壁が前記給水領域との仕切りとされたことを特徴とする請求項３に記載の空気調和機。
【請求項５】
落下口の下端の斜面が高壁側に向いていることを特徴とする請求項３または４に記載の空気調和機。
【請求項６】
受水領域に、落下孔が形成され、給水領域に、複数の通水孔が形成され、前記落下孔が前記通水孔より大きく形成されたことを特徴とする請求項４または５に記載の空気調和機。
【発明の詳細な説明】
【技術分野】
【０００１】
本発明は、蒸発器で発生したドレン水を凝縮器に滴下させて蒸発させる空気調和機に関する。
【背景技術】
【０００２】
冷凍サイクルを構成する空気調和機において、ドレン水の排水処理を内部で行う場合、蒸発器から発生したドレン水を凝縮器に滴下させる。ドレン水は、高温の凝縮器に触れて気化する。
【０００３】
特許文献１では、放熱フィンと放熱フィンとの間にドレン水の滞留部を形成し、ドレン水を滞留部に溜め、凝縮器に長時間触れさせて気化させている。この構成により、凝縮器に滴下したドレン水は、放熱フィンの間隙を伝って直ぐに流下することなく、確実に気化することができる。
【特許文献１】特開２００１―１１６２８８号公報
【発明の開示】
【発明が解決しようとする課題】
【０００４】
ところで、ドレン水を凝縮器で蒸発させる場合、ある程度の量のドレン水を溜めて、凝縮器に滴下すると効率的である。
【０００５】
そこで、本発明は、短時間にドレン水を溜めて凝縮器に導くことができる空気調和機の提供を目的とする。
【課題を解決するための手段】
【０００６】
上記目的を達成するために、蒸発器で発生したドレン水を溜める空気調和機において、前記ドレン水を集めて流れ落とすためのドレンパンを備え、前記ドレンパンに前記ドレン水を流れ落とす落下口が設けられ、前記落下口の下端が斜めにカットされたことを特徴とする。
【０００７】
ドレンパンの底面は、蒸発器から滴下されるドレン水が早く集まるように、落下口に向かって傾斜している。すなわち、落下口は、ドレンパンの最下点に配置される。これにより、蒸発器からのドレン水は、ドレンパンの底面に広がることなく、落下口に集中し、排出される。
【０００８】
また、落下口の下端を斜めにカットすることで、ドレン水は、落下口から滴下する際、落下口の壁面に沿って下面側に流れ落ちる。そのため、下面側の開口において表面張力が働き難くなり、水の膜ができずスムーズに流れ落ちる。これにより、例えば、ドレン水が溜まる貯水領域等に早く溜めることができる。
【０００９】
そして、溜まったドレン水を蒸発させるために、ドレン水を凝縮器に滴下させる滴下皿が設けられる。滴下皿は、ドレンパンの下方に配され、前記滴下皿に、前記ドレンパンから流れ落ちたドレン水が広がらないようにして、前記凝縮器に導く受水領域が設けられ、前記受水領域の上方に落下口が配される。
【００１０】
受水領域は、高壁と、前記高壁より低い低壁とで囲まれて構成されており、落下口の下端の斜面が高壁側に向いている。これにより、落下口から流れ落ちるドレン水は、落下口の低壁側を伝って流れ落ちてくるため、ドレン水が落下した際、跳ね返って高壁を超えることはない。
【００１１】
また、溜められたドレン水を滴下皿に供給する供給手段を備え、前記滴下皿に、供給されたドレン水が流れ込む給水領域が設けられる。受水領域には、落下孔が形成され、給水領域には、複数の通水孔が形成される。落下孔は、通水孔より大きく形成されており、落下口から流れ落ちるドレン水を短時間で溜めることができる。
【００１２】
また、受水領域は、低壁が給水領域との仕切りとなる。そのため、例えば、ゴミや埃等が落下孔に詰まってドレン水が受水領域に溜まったとしても、給水領域側の壁が低壁のため、ドレン水が給水領域にあふれ、給水領域の通水孔から凝縮器に滴下する。これにより、落下口から流れ落ちたドレン水は、効率よく溜めることができる。
【発明の効果】
【００１３】
以上の説明で明らかのように、本発明によれば、ドレンパンの最下点に配された落下口により、蒸発器からのドレン水が集中して排出され、短時間でドレン水を溜めることができる。
【発明を実施するための最良の形態】
【００１４】
以下、本発明の実施形態を図面に基づいて説明する。図１は本発明に係る一体型空気調和機の全体構成を示す側面断面図、図２は一体型空気調和機の平面断面図、図３は一体型空気調和機の外観を前面側から見た斜視図、図４は一体型空気調和機の外観を背面側から見た斜視図である。
【００１５】
一体型空気調和機では、図１、図２に示すように、キャビネット１に、圧縮機２、凝縮器３、蒸発器４および絞り機構（図示せず）が内装され、これらによって冷凍サイクルが形成される。そして、空気調和機は、冷風を発生させて、室内を冷房する冷房運転を行う。そのため、空気調和機は、蒸発器４に対する送風ファン５と、凝縮器３に対する排気ファン６と、排気用のダクト７と、冷房運転によって発生したドレン水を処理するための吸込ポンプ８とを備えている。
【００１６】
キャビネット１は、図３、図４に示すように、前面パネル１０、左右一対の側板１１、背板１２によって囲まれた構造とされる。そして、キャビネット１は、上側の冷房室１３と下側の排熱室１４とに区画されている。冷房室１３と排熱室１４とは、仕切り板１５によって仕切られ、上下の空間は断熱されている。
【００１７】
冷房室１３には、蒸発器４および送風ファン５が収容され、排熱室１４には、圧縮機２、凝縮器３、排気ファン６、吸込ポンプ８が収容されている。冷房室１３では、前側に蒸発器４が配置され、背面側にシロッコファンからなる送風ファン５が配置されている。排熱室１４では、前側に凝縮器３が配置され、背面側にシロッコファンからなる排気ファン６が配置されている。凝縮器３と排気ファン６との間に、圧縮機２と吸込ポンプ８とが左右にそれぞれ配置されている。凝縮器３は、蒸発器４の下方に位置し、蒸発器４と凝縮器３とは上下に並んでいる。
【００１８】
キャビネット１の前側は開口されており、この開口が前面パネル１０によって覆われている。蒸発器４および凝縮器３は、開口に面しており、前面パネル１０と蒸発器４および凝縮器３との間には間隙１６が形成される。この間隙１６に、フィルタ１７が着脱可能に装着されている。
【００１９】
前面パネル１０に、前面吸込口２０と吹出口２１とが形成されている。また、前面パネル１０と側板１１との間に、側面吸込口２２が形成されている。前面吸込口２０は、前面パネル１０の中央に位置して、縦方向に配されている。前面吸込口２０および側面吸込口２２は、間隙１６に連通している。吹出口２１は、前面パネル１０の上部に位置し、水平方向から斜め上方向に向かって開口している。吹出口２１には、ルーバ２３が設けられ、ルーバ２３はモータによって揺動される。吹出口２１は冷房室１３に連通しており、前面吸込口２０および側面吸込口２２から蒸発器４を経て吹出口２１に至る通風路が形成される。これによって、キャビネット１の前面からの吸い込みおよび前方への吹き出しを実現できる。
【００２０】
排熱室１４は、冷房室１３よりも背面側に突出しており、排熱室１４の上面に排気口２４が形成されている。排気口２４に、蛇腹状のダクト７の一端が取り付けられている。ダクト７の他端は、壁２５の開口部に取り付けられ、排熱室１４がダクト７を介して室外と連通する。したがって、排熱室１４では、前面吸込口２０および側面吸込口２２から凝縮器３を経て排気口２４に至る通風路が形成される。この通風路は、ダクト７に連通して、室外へと通じている。
【００２１】
ダクト７の一端は、排気口２４に対して回転自在かつ着脱自在とされる。すなわち、排気ファン６のケーシング２６に形成された排気口２４に、ファンガード２７が回転自在に嵌め込まれている。ダクト７の一端には、ダクトコネクタ２８が設けられている。このダクトコネクタ２８が、ファンガード２７に着脱自在に装着されるが、ダクトコネクタ２８はファンガード２７に対して回転しないように取り付けられている。ダクト７とファンガード２７とが一体的に回転することにより、ダクト７とキャビネット１とは相対的に回転する。
【００２２】
ダクト７の他端は、壁２５の開口部に着脱可能に取り付けられている。すなわち、開口部にある窓３０を利用して、ダクト７を取り付けるための取付パネル３１が窓枠に固定される。窓３０は、上げ下げ窓、引き違い窓のいずれでもよく、取付パネル３１は、窓３０の大きさに合わせて長さを可変できる。
【００２３】
取付パネル３１の取付口３２にダクトホルダ３３が嵌め込まれ、ダクトホルダ３３に、ダクト７の他端に設けられたダクトコネクタ３４が着脱可能に装着される。ダクトコネクタ３４がダクトホルダ３３に装着されることにより、ダクトホルダ３３は取付パネル３１から抜けないように取り付けられる。ダクトホルダ３３の室外側には、雨が入り込まないように、雨除け３５が取り付けられている。したがって、ダクトコネクタ３４をダクトホルダ３３から外すことにより、ダクト７を窓３０から取り外すことができ、さらにダクトホルダ３３も取付パネル３１から取り外すことができる。ここで、ダクト７を外したとき、取付パネル３１の取付口３２が開いたままになるので、取付口３２を塞ぐカバーが取付パネル３１に設けられている。なお、図１中、３６は換気孔であり、換気扇が取り付け可能とされる。
【００２４】
また、キャビネット１の底面には、車輪４０が取り付けられている。したがって、本空気調和機は移動可能とされ、伸縮可能なダクト７を付けたまま室内で移動させることができる。さらに、ダクト７を外すことにより、空気調和機を他の室内に持ち運ぶことができ、任意の場所で使用することができる。
【００２５】
ところで、蒸発器４では、室内空気の熱交換を行うとき、空気中の水分が結露して、ドレン水が発生する。蒸発器４の下方に、ドレン水を受けるドレンパン４１が設けられ、ドレンパン４１の下方に、滴下皿４２が設けられている。ドレンパン４１は、滴下皿４２内に収容され、滴下皿４２は、キャビネット１に取り付けられている。ドレンパン４１に滴り落ちたドレン水は、滴下皿４２に流れ落ち、さらに滴下皿４２から凝縮器３に流れ落ちる。ドレン水は、凝縮器３を通過するときに、凝縮器３を冷却しながら蒸発する。凝縮器３の下方には、ドレン受皿４３が設けられ、凝縮器３を伝って流れてきたドレン水がドレン受皿４３に溜まる。ドレン受皿４３は、排熱室１４の底に載置されており、ドレン受皿４３には、ドレン抜き孔４４が形成され、栓がされている。栓を抜くと、ドレン水が排出される。
【００２６】
そして、ドレン受皿４３に溜まったドレン水を処理するため、吸込ポンプ８によってドレン水を再び凝縮器３に導き、蒸発させている。吸込ポンプ８は、ドレン受皿４３内に設置され、吸込ポンプ８にドレンホース４５が接続され、ドレンホース４４が滴下皿４２に接続される。吸込ポンプ８は、ドレン水を吸い込んで滴下皿４２に送り込む。ドレン水は、滴下皿４２から流れ落ちて、凝縮器３の熱によって蒸発する。このように、ドレン水を循環させることによって、外部に排水することなく、内部において排水処理ができる。なお、ドレンホース４５の途中には、流路を切り替えるためのコックが設けられ、排水パイプ４６が接続されている。コックを回すことにより、滴下皿４２に向かって循環する流路と、排水パイプ４６に向かって排水される流路とに切り替えられる。
【００２７】
この空気調和機は、圧縮機２、送風ファン５、排気ファン６、吸込ポンプ８を駆動制御する制御装置を備えている。マイコンからなる制御装置は、キャビネット１に内装され、図示しないリモコンあるいはキャビネットに設けられた操作スイッチからの操作信号に応じて、冷房運転、除湿運転、換気運転といった各種運転を実行する。また、前面パネル１０に、ＬＥＤ等からなる表示器５０が設けられており、制御装置は、各種運転に応じて表示器５０の点灯を制御したり、ドレン水が満水になったときの警告として表示器５０の点灯あるいは点滅といった制御を行う。
【００２８】
冷房運転では、室内空気が、送風ファン５の駆動によって前面吸込口および側面吸込口から吸い込まれ、前面パネル１０の間隙１６から蒸発器４を通り抜ける。このとき、吸い込まれた空気は、蒸発器４によって冷却され、冷風となる。冷風は、吹出口２１から室内に吹き出される。
【００２９】
一方、排気ファン６の駆動によって、室内空気が、前面吸込口２０および側面吸込口２２から吸い込まれ、前面パネル１０の間隙１６から凝縮器３を通り抜ける。このとき、吸い込まれた空気は、凝縮器３によって暖められ、温風となる。温風は、排気口２４からダクト７を通り、室外に排出される。
【００３０】
冷房運転により蒸発器４から発生したドレン水は、流れ落ちてドレン受皿４３に溜まる。ドレン水が所定水位まで溜まると、吸込ポンプ８が作動して、ドレン受皿４３のドレン水を汲み上げて、滴下皿４２に導く。汲み上げられたドレン水は、凝縮器３の表面に沿って流れ落ち、蒸発する。蒸発しなかったドレン水は、ドレン受皿４３に溜まり、再び汲み上げられ、蒸発するまで循環される。
【００３１】
除湿運転では、冷房運転と同様に圧縮機２、送風ファン５、排気ファン６、吸込ポンプ８が駆動制御される。ただし、ドレン受皿４３に溜まったドレン水は循環させず、コックの操作によりドレン水を排水パイプ４６から排出する。この場合、ダクト７を外しておく。排熱室１４を通って除湿された空気は、排気口２４から室内に排出される。そのため、室内の温度を変えずに除湿できる。
【００３２】
換気運転では、圧縮機２、送風ファン５および吸込ポンプ８は停止し、排気ファン６のみが駆動される。キャビネット１の前方から吸い込まれた室内の空気は、排熱室１４からダクト７を経て室外に排出される。このとき、壁２５の換気孔３６から室外の空気が入り込み、室内の換気が行われる。
【００３３】
次に、ドレンパン４１と滴下皿４２について説明する。なお、図５はドレンパンと滴下皿の構成を示す正面断面図、図６はドレンパンと滴下皿の構成を示す前面断面図、図７はドレンパンの平面図、図８はドレンパンの前面断面図、図９は滴下皿の平面図、図１０は滴下皿の前面断面図を示す。
【００３４】
図５、図６に示すように、ドレンパン４１は、載置皿４２に装着され、ドレンパン４１が載置皿４２の蓋となる。ドレンパン４１は、蒸発器の真下に配置され、蒸発器４を支持する。載置皿４２は、凝縮器３の真上に配置される。これにより、凝縮器３と蒸発器４とは、熱的に絶縁される。また、ドレンパン４１の側面に形成された爪部６６が滴下皿４２の側面に形成された切欠き孔７９に係合されて、両者が一体化される。この切欠き孔７９は、滴下皿４２のオーバーフロー用の排水口としての役目も果たす。
【００３５】
ドレンパン４１は、図７、図８に示すように、上面が開口した左右に長い箱状に形成されており、蒸発器４を載置する載置部６０と、蒸発器４から発生したドレン水を受けるドレン水受け部６１とを有する。
【００３６】
載置部６０は、左右および背面側の壁面に沿って形成され、ドレン水受け部６１に向かって傾斜した平坦面とされる。ドレン水受け部６１は、載置部６０よりも一段低く形成される。ドレン水受け部６１の底面は、ある１点に向かって傾斜しており、その最下点に落下口６２が形成されている。
【００３７】
落下口６２は、円筒状に形成され、底面から下方に突出している。落下口６２の下端は、斜めにカットされ、落下口６２の出口において表面張力による水の膜ができない形状とされる。
【００３８】
また、ドレン水受け部６１には、蒸発器４を支える支持部材６３が形成される。支持部材６３は、ドレンパン４１の長手方向に沿ってリブ状に複数形成されており、各支持部材６３が、千鳥足状に配置される。支持部材６３の高さは、載置部６０と同一とされる。これにより、蒸発器４は、載置部６０だけでなく支持部材６３でも支持されるので、傾くことなく固定される。また、支持部材６３は、蒸発器４から流れ落ちるドレン水を落下口６２に向かって案内する役目も果たす。
【００３９】
ドレンパン４１の底面には、ドレンパン４１を支える２本の脚６４と、ドレンパン４１自体の強度を保つための複数の分配部材６５とが形成される。脚６４は、ドレン水受け部６１の左右端部で短手方向に沿って形成される。
【００４０】
分配部材６５は、正面から見て矩形状のリブであって、ドレン水受け部６１の底面外側に長手方向に沿って２列に形成される。リブ６５の下端は水平とされ、脚の下端とほぼ同一の高さとされる。このリブ６５により、蒸発器４の重量に対する補強効果を得ることができる。
【００４１】
次に、滴下皿４２は、図９、図１０に示すように、上面が開口した左右に長い箱状に形成されており、ドレンパン４１を載置する段部７７を有する。段部７７は、左右および背面側の壁面に沿って形成され、ドレンパン４１の載置部６０を載置するために一段高く形成される。
【００４２】
滴下皿４２の背面に、供給手段である吸込ポンプ８にドレンホース４５を介して接続される供給口７０が設けられる。供給口７０は、円筒状に突出して形成される。滴下皿４２は、ドレンパン４１からのドレン水を受ける受水領域７８と、供給口７０から入ってきたドレン水が流れる給水領域７１とに区画される。
【００４３】
供給口７０から給水領域７１にドレン水が流れるようにガイド壁７３が形成される。ガイド壁７３は、流れる方向を変えるように湾曲している。ドレンパン４１と滴下皿４２との間にシール部材７６が設けられる。弾性を有するシール部材７６は、ドレンパン４１の底面下側に装着され、ガイド壁７３に密着する。これにより、吸込ポンプ８から供給されるドレン水が勢いよく噴出しても、ガイド壁７３を超えて滴下皿４２からこぼれないようにすることができる。
【００４４】
給水領域７１の底面には、複数の通水孔７２が形成される。通水孔７２は、供給口７０から離れるにつれて密に形成される。また、通水孔７２に対してドレンパン４１のリブ６５がかかるように配置される。通水孔７２の周縁にリブ６５が当接し、リブ６５の一部が通水孔７２はみ出している。このはみ出したリブ６５があることにより、通水孔７２におけるドレン水の表面張力が弱くなり、水の膜ができずに滴下しやすくなる。
【００４５】
また、通水孔７２は、下側の開口面積より上側の開口面積の方が広く形成される。すなわち、通水孔７２は、すり鉢状の孔である。このすり鉢形状により、供給されたドレン水が通水孔７２から滴下する際、ドレン水が斜面に沿って下に流れようとする力が働くので、表面張力の働きを弱めることができ、水の膜ができず効率よく滴下することができる。
【００４６】
受水領域７８は、高壁７５と低壁７４とで区切られる。受水領域７８の底面には、落下孔８１が形成される。この落下孔８１は、楕円状に形成されており、通水孔７２より大面積とされる。また、落下口６２の下端の傾斜面が高壁７５側に向き、低壁７４が給水領域７１との仕切りとなる。
【００４７】
なお、受水領域７８および給水領域７１の周囲には、ドレン水があふれても良いように底面に通水孔７２を有するオーバーフロー部８０が設けられている。これにより、例えば、ゴミや埃等によって受水領域７８および給水領域７１の通水孔７２が塞がりドレン水がオーバーフローしても、周囲に設けられたオーバーフロー部８０の通水孔７２からドレン水は凝縮器３に滴下する。
【００４８】
上記構成により、蒸発器４からドレンパン４１に滴り落ちたドレン水は、ドレン水受け部６１を伝って落下口６２に集まり、滴下皿４２に流れ落ちる。このとき、落下口６２から流れ落ちるドレン水は、落下口６２の低壁７４側を伝って流れ落ちてくる。そのため、落下口６２から流れ落ちてくるドレン水が落下した際に跳ね返って高壁７５を超えることはない。
【００４９】
また、ドレン水が受水領域７８に溜まったとしても、給水領域７１側の壁が低壁７４のため、ドレン水が給水領域７１にこぼれ、給水領域７１の通水孔７２から滴下することができる。これにより、落下口６２から流れ落ちたドレン水は、効率よく凝縮器３に導くことができる。
【００５０】
滴下皿４２に流れ落ちたドレン水は、落下口６２の下方に形成された落下孔８１から凝縮器３に流れ落ちる。凝縮器３の熱によって気化されなかったドレン水は、ドレン受皿４３に流れ落ちる。
【００５１】
ドレン受皿４３に溜まったドレン水は、吸込ポンプ８で汲み上げられ、供給口７０から滴下皿４２に流れ込む。流れ込んだドレン水は、ガイド壁７３に当たる。このとき、ドレンパン４１によって蓋されているため、ドレン水がガイド壁７３を乗り越えて滴下皿４２の外側に漏れることがない。ドレン水は、ガイド壁７３に導かれて給水領域７１に向かって流れる。給水領域７１に流れてきたドレン水は、リブ６５に沿って通水孔７２に導かれる。このとき、ドレン水は、表面張力が働かないので、水滴にならず、通水孔７２に流れ込む。
【００５２】
また、ドレン水は、給水口７０に近い側の水量が多く、離れるにつれて水量が少なくなるが、通水孔７２が給水口７０に近い側より遠い側に多く形成されているため、凝縮器３に滴下する量は変わらない。すなわち、滴下皿４２は、凝縮器３に対してドレン水を均一に滴下することができる。
【００５３】
なお、本発明は、上記実施形態に限定されるものではなく、本発明の範囲内で上記実施形態に多くの修正および変更を加え得ることは勿論である。例えば、本発明では、落下口から滴下皿を介して凝縮器にドレン水を導いているが、落下口から直接凝縮器にドレン水を導いてもよい。この場合、落下口は、ドレンパンを滴下皿に収容した際、滴下皿の底面より下側に突出する長さに形成する。これにより、ドレン水は、より短時間に凝縮器に導かれ、ドレン水がドレン受け皿に滴下しやすい効果が得られる。
【００５４】
また、本発明では、供給口は滴下皿の背面にあるが、一方の側面に設けてもよい。この場合、供給されたドレン水がガイド壁からこぼれることがないので、供給口の上方にシール部材を設けることがない。したがって、コスト削減を図ることができる。
【００５５】
また、ドレンパンと滴下皿とが分離した構造としてもよい。この場合、滴下皿の上面を覆う蓋部材を設け、蓋部材に分配部材を設けてもよい。
【００５６】
また、ドレンパンから滴下皿にドレン水を直接供給してもよい。この場合、蒸発器からのドレン水をドレンパンに一旦溜めるようにしてもよい。ドレンパンにドレン水を一旦溜めることで、滴下皿に流し込む勢いをつけることができ、滴下皿に満遍なくドレン水を流し込むことができる。
【００５７】
さらに、本発明は、吸込ポンプを一体型の空気調和機に用いているが、特にこの限りではない。例えば、空気調和機と同様に冷凍サイクルを備える冷蔵庫や、お風呂の残り湯等を注ぐ洗濯機に用いることができる。
【図面の簡単な説明】
【００５８】
【図１】本発明に係る一体型空気調和機の全体構成を示す側面断面図
【図２】一体型空気調和機の平面断面図
【図３】一体型空気調和機の外観を前面側から見た斜視図
【図４】一体型空気調和機の外観を背面側から見た斜視図
【図５】ドレンパンと滴下皿の構成を示す正面断面図
【図６】ドレンパンと滴下皿の構成を示す前面断面図
【図７】ドレンパンの平面図
【図８】ドレンパンの前面断面図
【図９】滴下皿の平面図
【図１０】滴下皿の前面断面図
【符号の説明】
【００５９】
３    凝縮器
４    蒸発器
４１  ドレンパン
４２  滴下皿
６０  載置部
６１  ドレン水受け部
６２  落下口
６３  支持部材
６４  脚
６５  リブ
６６  爪部
７０  供給口
７１  給水領域
７２  通水孔
７３  ガイド壁
７４  低壁
７５  高壁
７６  シール部材
７７  段部
７８  受水領域
７９  切欠き孔
８０  オーバーフロー部
８１  落下孔
【図１】
2006234283.tif 000003
【図２】
2006234283.tif 000004
【図３】
2006234283.tif 000005
【図４】
2006234283.tif 000006
【図５】
2006234283.tif 000007
【図６】
2006234283.tif 000008
【図７】
2006234283.tif 000009
【図８】
2006234283.tif 000010
【図９】
2006234283.tif 000011
【図１０】
2006234283.tif 000012